(57)【要約】  シングルユーザ（ＳＵ）モードとマルチユーザ（ＭＵ）モードとの間で移行するときにバックオフ値を決定するための方法および装置が提供される。媒体にアクセスするように試みるために第１のセットのパラメータが使用されるシングルユーザ（ＳＵ）モードから、媒体にアクセスするように試みるために第２のセットのパラメータが使用されるマルチユーザ（ＭＵ）モードに、局（ＳＴＡ）は移行する。ＳＴＡは、ＭＵモードからＳＵモードに戻るように移行すると、バックオフカウンタのセットのうちの対応する１つまたは複数を設定するために使用すべき１つまたは複数の値を決定する。ＳＴＡは、１つまたは複数のバックオフカウンタを設定した後、バックオフカウンタのセットに基づいて、１つまたは複数のＳＵ送信のために媒体にアクセスするように試みる。【選択図】図４
2019520730.tif 000002
【特許請求の範囲】
【請求項１】
局（ＳＴＡ）によるワイヤレス通信のための方法であって、
媒体にアクセスするように試みるために第１のセットのパラメータが使用されるシングルユーザ（ＳＵ）モードから、前記媒体にアクセスするように試みるために第２のセットのパラメータが使用されるマルチユーザ（ＭＵ）モードに、移行することと、
前記ＭＵモードから前記ＳＵモードに戻るように移行すると、バックオフカウンタのセットのうちの１つまたは複数のバックオフカウンタを設定するための値を決定することと、
前記１つまたは複数のバックオフカウンタを設定した後、前記バックオフカウンタのセットに基づいて、１つまたは複数のＳＵ送信のために前記媒体にアクセスするように試みることと、
を備える方法。
【請求項２】
前記１つまたは複数のバックオフカウンタの前記値は、前記ＭＵモードのオペレーションのために定義された前記第２のセットのパラメータに基づき、前記値は、前記ＳＵモードのオペレーションのために定義された前記第１のセットのパラメータに基づく前記１つまたは複数のバックオフカウンタの値とは異なる、請求項１に記載の方法。
【請求項３】
前記バックオフカウンタのセットは、異なるアクセスカテゴリ（ＡＣｓ）についてのバックオフカウンタを備える、請求項１に記載の方法。
【請求項４】
前記決定することは、
前記１つまたは複数のバックオフカウンタを対応する１つまたは複数の所定の値に再設定することを備える、請求項１に記載の方法。
【請求項５】
アクセスポイントから前記１つまたは複数の所定の値を受信することをさらに備える、請求項４に記載の方法。
【請求項６】
前記ＭＵモードに移行すると、前記１つまたは複数のバックオフカウンタの値を記憶することをさらに備える、請求項１に記載の方法。
【請求項７】
前記決定することは、
前記ＳＵモードに戻るように移行した後、前記１つまたは複数のバックオフカウンタをそれらの対応する記憶された値に戻すことを備える、請求項６に記載の方法。
【請求項８】
前記ＳＵモードから前記ＭＵモードへの前記移行は、アクセスポイント（ＡＰ）からのトリガフレームの受信に基づき、前記トリガフレームは、前記ＳＴＡによるＭＵ送信のためにリソースをスケジューリングする、請求項１に記載の方法。
【請求項９】
前記ＳＵモードから前記ＭＵモードへの前記移行は、前記トリガフレームに応答することに成功することに基づく、請求項８に記載の方法。
【請求項１０】
前記トリガフレームに応答することに成功することは、
前記トリガフレームによってスケジューリングされた前記リソース上で前記アクセスポイントにデータを送信することと、
前記データが前記アクセスポイントによって受信されたことを示す確認応答を前記アクセスポイントから受信することと、
を備える、請求項９に記載の方法。
【請求項１１】
前記ＳＵモードに戻るような前記移行は、前記ＭＵモードにある間、タイムアウト期間の満了前に前記ＡＰからの別のトリガフレームの受信失敗に基づく、請求項８に記載の方法。
【請求項１２】
前記バックオフカウンタのセットは、少なくとも第１のアクセスカテゴリ（ＡＣ）についての第１のバックオフカウンタを備え、前記第１のセットのパラメータは、ＳＵモード拡張分散チャネルアクセス（ＥＤＣＡ）パラメータを含み、
前記方法は、
少なくとも前記第１のアクセスカテゴリ（ＡＣ）について前記ＳＵモードＥＤＣＡパラメータを示すフレームを受信することをさらに備え、
前記決定することは、前記第１のバックオフカウンタを設定するために前記ＳＵモードＥＤＣＡパラメータを使用することを決定することを備える、
請求項１に記載の方法。
【請求項１３】
前記決定することは、
前記第１のＡＣについて前記ＳＵモードに切り替わった後、前記第１のＡＣについて前記第１のバックオフカウンタを停止することを決めることと、
前記第１のＡＣについての前記ＳＵモードＥＤＣＡパラメータに基づいて、前記第１のバックオフカウンタを再スタートさせることと、
を備える、請求項１２に記載の方法。
【請求項１４】
前記決定することは、
前記第１のＡＣについて前記ＳＵモードに切り替わった後、前記第１のＡＣについて前記第１のバックオフカウンタを継続することを決めることと、
前記第１のバックオフカウンタの満了後まで、前記第１のＡＣについての前記ＳＵモードＥＤＣＡパラメータに基づいて、前記第１のバックオフカウンタを再スタートさせるのを待つことと、
を備える、請求項１２に記載の方法。
【請求項１５】
前記決定することは、
前記第１のＡＣについての前記第１のバックオフカウンタの満了前に残っている時間の量に基づいて、前記第１のバックオフカウンタを停止し、前記第１のＡＣについての前記ＳＵモードＥＤＣＡパラメータに基づいて前記第１のバックオフカウンタを再スタートすべきかどうかを決めることを備える、請求項１２に記載の方法。
【請求項１６】
前記決定することは、
前記第１のＡＣについて前記ＳＵモードに残り、事前アソシエーション通信のために前記第１のＡＣについての前記ＳＵモードＥＤＣＡパラメータを使用することを決めることを備える、請求項１２に記載の方法。
【請求項１７】
前記決定することは、
前記第１のＡＣを含む複数のＡＣｓについて前記ＳＵモードに残り、事前アソシエーション通信のために前記複数のＡＣｓについての前記ＳＵモードＥＤＣＡパラメータを使用することを決めることを備える、請求項１２に記載の方法。
【請求項１８】
前記決定することは、
前記第１のＡＣについて前記ＳＵモードに残ることと、
アクセスポイント（ＡＰ）とのアソシエーション後に前記第１のＡＣについての前記ＳＵモードＥＤＣＡパラメータを使用することと、
ＭＵトラフィックを送るために前記ＡＰによってスケジューリングされた後、前記第１のＡＣについてマルチユーザ（ＭＵ）モードに切り替わることと、
を備える、請求項１２に記載の方法。
【請求項１９】
基地局（ＢＳ）によるワイヤレス通信のための方法であって、
少なくとも１つの局（ＳＴＡ）が媒体上に送信すべきデータを有することを検出することと、
前記少なくとも１つのＳＴＡにトリガフレームを送信するために、第１のセットのパラメータに基づいて前記媒体にアクセスするように試みることと、前記トリガフレームは、マルチユーザ（ＭＵ）モードで前記データを送信するためにリソースをスケジューリングする、
を備え、
前記第１のセットのパラメータのうちの１つまたは複数のパラメータは、シングルユーザ（ＳＵ）モードで前記媒体にアクセスするように試みるための第２のセットのパラメータのうちの１つまたは複数のパラメータ、および前記ＭＵモードで前記媒体にアクセスするように試みるための第３のセットのパラメータのうちの１つまたは複数のパラメータとは異なる、
方法。
【請求項２０】
前記ＳＵモードで１つまたは複数のＳＴＡｓによって前記媒体にアクセスする試みの数に基づいて、前記第１のセットのパラメータの１つまたは複数の値は調整される、請求項１９に記載の方法。
【請求項２１】
局（ＳＴＡ）によるワイヤレス通信のための装置であって、
媒体にアクセスするように試みるために第１のセットのパラメータが使用されるシングルユーザ（ＳＵ）モードから、前記媒体にアクセスするように試みるために第２のセットのパラメータが使用されるマルチユーザ（ＭＵ）モードに、移行するための手段と、
前記ＭＵモードから前記ＳＵモードに戻るように移行すると、バックオフカウンタのセットのうちの１つまたは複数のバックオフカウンタを設定するための値を決定するための手段と、
前記１つまたは複数のバックオフカウンタを設定した後、前記バックオフカウンタのセットに基づいて、１つまたは複数のＳＵ送信のために前記媒体にアクセスするように試みるための手段と、
を備える装置。
【請求項２２】
前記１つまたは複数のバックオフカウンタの前記値は、前記ＭＵモードのオペレーションのために定義された前記第２のセットのパラメータに基づき、前記値は、前記ＳＵモードのオペレーションのために定義された前記第１のセットのパラメータに基づく前記１つまたは複数のバックオフカウンタの値とは異なる、請求項２１に記載の装置。
【請求項２３】
前記決定するための手段は、
前記１つまたは複数のバックオフカウンタを対応する１つまたは複数の所定の値に再設定するように構成される、請求項２１に記載の装置。
【請求項２４】
アクセスポイントから前記１つまたは複数の所定の値を受信するための手段をさらに備える、請求項２３に記載の装置。
【請求項２５】
前記ＭＵモードに移行すると、前記１つまたは複数のバックオフカウンタの値を記憶するための手段をさらに備える、請求項２１に記載の装置。
【請求項２６】
前記決定するための手段は、
前記ＳＵモードに戻るように移行した後、前記１つまたは複数のバックオフカウンタをそれらの対応する記憶された値に戻すように構成される、請求項２５に記載の装置。
【請求項２７】
前記ＳＵモードから前記ＭＵモードへの前記移行は、アクセスポイント（ＡＰ）からのトリガフレームの受信に基づき、前記トリガフレームは、前記ＳＴＡによるＭＵ送信のためのリソースをスケジューリングする、請求項２１に記載の装置。
【請求項２８】
前記ＳＵモードから前記ＭＵモードへの前記移行は、前記トリガフレームに応答することに成功することに基づく、請求項２７に記載の装置。
【請求項２９】
基地局（ＢＳ）によるワイヤレス通信のための装置であって、
少なくとも１つの局（ＳＴＡ）が媒体上に送信すべきデータを有することを検出するための手段と、
前記少なくとも１つのＳＴＡにトリガフレームを送信するために、第１のセットのパラメータに基づいて前記媒体にアクセスするように試みるための手段と、前記トリガフレームは、マルチユーザ（ＭＵ）モードで前記データを送信するためのリソースをスケジューリングする、
を備え、
前記第１のセットのパラメータのうちの１つまたは複数のパラメータは、シングルユーザ（ＳＵ）モードで前記媒体にアクセスするように試みるための第２のセットのパラメータのうちの１つまたは複数のパラメータ、および前記ＭＵモードで前記媒体にアクセスするように試みるための第３のセットのパラメータのうちの１つまたは複数のパラメータとは異なる、
装置。
【請求項３０】
前記ＳＵモードで１つまたは複数のＳＴＡｓによって前記媒体にアクセスする試みの数に基づいて、前記第１のセットのパラメータの１つまたは複数の値は調整される、請求項２９に記載の装置。
【発明の詳細な説明】
【技術分野】
【０００１】
[0001]本願は、２０１６年５月０９日付で出願された「BACKOFF TECHNIQUES FOR TRANSITIONING BETWEEN SINGLE-USER AND MULTI-USER MODES」と題する米国仮出願番号第６２／３３３，７４５号、および２０１６年１０月１８日付で出願された「BACKOFF TECHNIQUES FOR TRANSITIONING BETWEEN SINGLE-USER AND MULTI-USER MODES」と題する米国仮出願番号第６２／４０９，８５９号に基づく優先権を主張する２０１７年５月４日付で出願された米国出願第１５／５８７，２１７号に基づく優先権を主張し、それらは全体として参照により明示的に組み込まれる。
【０００２】
[0002]本開示のある特定の態様は一般に、ワイヤレス通信に関し、より具体的には、シングルユーザ（ＳＵ）モードとマルチユーザ（ＭＵ）モードとの間でワイヤレスデバイスがトランスミッションするときのバックオフ技法に関する。
【背景技術】
【０００３】
[0003]ワイヤレス通信システムに求められる、増加する帯域幅要件の課題に対処するために、高いデータスループットを実現しながら、チャネルリソースを共有することによって複数のユーザ端末が単一のアクセスポイントと通信することを可能にするように、異なるスキームが開発されている。多入力多出力（ＭＩＭＯ）技術は１つのそうした手法を表し、それは次世代通信システムのための一般的な技法として近年出現してきた。ＭＩＭＯ技術は、米国電子電気学会（ＩＥＥＥ）８０２．１１規格のようないくつかの新興のワイヤレス通信規格において採用されてきた。ＩＥＥＥ８０２．１１規格は、短距離通信（たとえば、数十メートルから数百メートルまで）のためにＩＥＥＥ８０２．１１委員会によって開発されたワイヤレスローカルエリアネットワーク（ＷＬＡＮ）エアインターフェース規格のセットを指す。
【０００４】
[0004]ＭＩＭＯシステムは、データ送信のために、複数（ＮＴ個）の送信アンテナおよび複数（ＮＲ個）の受信アンテナを用いる。ＮＴ個の送信アンテナおよびＮＲ個の受信アンテナによって形成されたＭＩＭＯチャネルは、空間チャネルとも称される、ＮＳ個の独立チャネルに分解され得、ここで、ＮＳ≦ｍｉｎ｛ＮＴ，ＮＲ｝である。ＮＳ個の独立チャネルの各々は、ある一次元（a dimension）に対応する。複数の送信および受信アンテナによって作り出される追加の次元性が利用される場合、ＭＩＭＯシステムは、向上したパフォーマンス（たとえば、より高いスループットおよび／またはより大きな信頼性）を提供し得る。
【０００５】
[0005]単一のアクセスポイント（ＡＰ）および複数のユーザ局（ＳＴＡ）をもつワイヤレスネットワークでは、アップリンク方向とダウンリンク方向との両方で、同時送信が異なる局に向けて複数のチャネル上で生じ得る。このようなシステムには、多くの課題（challange）が存在する。
【発明の概要】
【０００６】
[0006]本開示のある特定の態様は、局（ＳＴＡ）によるワイヤレス通信のための方法を提供する。方法は概して、媒体にアクセスするように試みるために第１のセットのパラメータが使用されるシングルユーザ（ＳＵ）モードから、媒体にアクセスするように試みるために第２のセットのパラメータが使用されるマルチユーザ（ＭＵ）モードに移行することと、ＭＵモードからＳＵモードに戻るように移行すると、バックオフカウンタのセットのうちの１つまたは複数のバックオフカウンタを設定するための値を決定することと、１つまたは複数のバックオフカウンタを設定した後、バックオフカウンタのセットに基づいて、１つまたは複数のＳＵ送信のために媒体にアクセスするように試みることと、を含む。
【０００７】
[0007]本開示のある特定の態様は、基地局（ＢＳ）によるワイヤレス通信のための方法を提供する。方法は概して、少なくとも１つの局（ＳＴＡ）が媒体上に送信すべきデータを有していることを検出することと、少なくとも１つのＳＴＡにトリガフレームを送信するために、第１のセットのパラメータに基づいて媒体にアクセスするように試みることと、を含み、該トリガフレームは、マルチユーザ（ＭＵ）モードでデータを送信するためにリソースをスケジューリングし、該第１のセットのパラメータのうちの１つまたは複数のパラメータは、シングルユーザ（ＳＵ）モードで媒体にアクセスするように試みるための第２のセットのパラメータのうちの１つまたは複数のパラメータ、およびマルチユーザ（ＭＵ）モードで媒体にアクセスするように試みるための第３のセットのパラメータのうちの１つまたは複数のパラメータとは異なる。
【０００８】
[0008]本開示のある特定の態様は、ユーザ機器（ＵＥ）によるワイヤレス通信のための装置を提供する。装置は概して、媒体にアクセスするように試みるために第１のセットのパラメータが使用されるシングルユーザ（ＳＵ）モードから、媒体にアクセスするように試みるために第２のセットのパラメータが使用されるマルチユーザ（ＭＵ）モードに移行するための手段と、ＭＵモードからＳＵモードに戻るように移行すると、バックオフカウンタのセットのうちの１つまたは複数のバックオフカウンタを設定するための値を決定するための手段と、１つまたは複数のバックオフカウンタを設定した後、バックオフカウンタのセットに基づいて、１つまたは複数のＳＵ送信のために媒体にアクセスするように試みるための手段と、を含む。
【０００９】
[0009]本開示のある特定の態様は、基地局（ＢＳ）によるワイヤレス通信のための装置を提供する。装置は概して、少なくとも１つの局（ＳＴＡ）が媒体上に送信すべきデータを有していることを検出するための手段と、少なくとも１つのＳＴＡにトリガフレームを送信するために、第１のセットのパラメータに基づいて媒体にアクセスするように試みるための手段と、を含み、該トリガフレームは、マルチユーザ（ＭＵ）モードでデータを送信するためにリソースをスケジューリングし、該第１のセットのパラメータのうちの１つまたは複数のパラメータは、シングルユーザ（ＳＵ）モードで媒体にアクセスするように試みるための第２のセットのパラメータのうちの１つまたは複数のパラメータ、およびＭＵモードで媒体にアクセスするように試みるための第３のセットのパラメータのうちの１つまたは複数のパラメータとは異なる。
【００１０】
[0010]本開示の態様はまた、上で説明された装置およびオペレーションに対応する様々な方法、手段、およびコンピュータプログラム製品を提供する。
【図面の簡単な説明】
【００１１】
[0011]本開示の上で記載された特徴が詳細に理解され得るように（so that the manner in which）、より具体的な説明が、上では簡潔に要約されているが、複数の態様への参照によってなされ得、それらの態様のうちのいくつかが添付の図面で例示される。しかしながら、添付の図面は、本開示のある特定の典型的な態様のみを例示しているのであって、そのため該説明が他の同等に効果的な態様に通じ（admit to）得ることから、その範囲を限定するとは考えられないこととすることに留意されたい。
【図１】本開示のある特定の態様にしたがった、例となるワイヤレス通信ネットワークの図である。
【図２】本開示のある特定の態様にしたがった、例となるアクセスポイントおよび例となるユーザ端末のブロック図である。
【図３】本開示のある特定の態様にしたがった、ＷＬＡＮネットワークにおいて局（ＳＴＡ）によって実行される例となるオペレーションを例示する。
【図４】本開示のある特定の態様にしたがった、ＳＴＡによってバックオフカウンタの値を決定するための例となるシナリオを例示する。
【図５】本開示のある特定の態様にしたがった、トリガフレームを送信するためにアクセスポイント（ＡＰ）によって実行される例となるオペレーションを例示する。
【図６】本開示のある特定の態様にしたがった、ＭＵ  ＥＤＣＡパラメータセット要素の例となるフォーマットを例示する。
【図７】本開示のある特定の態様にしたがった、ＭＵ  ＡＣ＿ＢＥ、ＭＵ  ＡＣ＿ＢＫ、ＭＵ  ＡＣ＿ＶＩ、およびＭＵ  ＡＣ＿ＶＯパラメータ記録フィールドの例となるフォーマットを例示する。
【発明を実施するための形態】
【００１２】
[0019]ＩＥＥＥ８０２．１１ベースワイヤレスローカルエリアネットワーク（ＷＬＡＮ）技術が、ブロードバンドサービスを提供するために広く展開されてきた。さらなるパフォーマンス改善のために、次世代ＷＬＡＮ規格、ＩＥＥＥ８０２．１１ａｘが新たな媒体アクセス制御（ＭＡＣ）およびＰＨＹレイヤの標準化を始めている。ＩＥＥＥ８０２．１１ａｘは、密集した配置シナリオにおいて局（ＳＴＡ）ごとの平均スループットの少なくとも４倍の改善を、局ごとの電力効率を維持または改善しながら提供することを目標と定めている。
【００１３】
[0020]ＷＬＡＮの１つの代表的な特性は、ＭＡＣプロトコルとしての衝突回避を伴うキャリア感知多重アクセス（ＣＳＭＡ／ＣＡ）の使用である。ＣＳＭＡ／ＣＡでは、ノードは、それがパケットの送信準備を完了するとき、通信チャネルをリスンする。一度チャネルがフリーである（すなわち、チャネル上のエネルギーレベルがＣＣＡ（クリアチャネルアセスメント）しきい値よりも低い）ことをノードが検出すると、ノードは、バックオフカウンタについてのランダム初期値を選択することによってバックオフプロシージャをスタートさせる。ノードはその後、チャネルを感知している間バックオフカウンタを減少させ始める。バックオフカウンタがゼロに達するとき、ノードは送信し始める。使用中のＷｉ−Ｆｉデバイスの数が増加すると、レガシＷｉ−Ｆｉにおけるキャリア感知多重アクセス（ＣＳＭＡ）の非能率さが、ユーザごとのスループットの低下に繋がり得る。
【００１４】
[0021]上で言及された重いチャネルアクセス負荷の問題を軽減するために、およびリソース衝突を回避するために、８０２．１１ａｘによって定義されているようなマルチユーザ（ＭＵ）ＰＨＹが、集中したリソースの割振りを含む。８０２．１１ａｘは概して、シングルユーザ（ＳＵ）モードおよびマルチユーザ（ＭＵ）モードをサポートする。ＳＵモードは概して、１つずつの局への競争ベースアクセスを可能にするレガシＳＵアクセスと同じである。ＭＵモード（またはスケジューリングされたモード）は、複数のＳＴＡがアップリンク上での同時送信のためにスケジューリングされることを可能にする。ある特定の態様では、ＳＴＡは、ＳＵモードとＭＵモードとの間で移行し得る。
【００１５】
[0022]本開示のある特定の態様は、ＭＵモードからＳＵモードに移行するとき、ＳＵモードの１つまたは複数のバックオフカウンタの値を決定するための技法について論じている。ある特定の態様にしたがうと、媒体にアクセスするように試みるために第１のセットのパラメータが使用されるＳＵモードから、媒体にアクセスするように試みるために第２のセットのパラメータが使用されるＭＵモードに、ＳＴＡが移行する。ＳＴＡは、ＭＵモードからＳＵモードに戻るように移行すると、バックオフカウンタのセットのうちの１つまたは複数のバックオフカウンタを設定するための値を決定し、１つまたは複数のバックオフカウンタを設定した後、バックオフカウンタのセットに基づいて、１つまたは複数のＳＵ送信のために媒体にアクセスするように試みる。
【００１６】
[0023]ある特定の態様にしたがうと、基地局（ＢＳ）は、少なくとも１つのＳＴＡが媒体上に送信すべきデータを有することを検出し、少なくとも１つのＳＴＡにトリガフレームを送信するために、第１のセットのパラメータに基づいて媒体にアクセスするように試みる。トリガフレームは、マルチユーザ（ＭＵ）モードでデータを送信するためにリソースをスケジューリングする。ある態様では、第１のセットのパラメータのうちの１つまたは複数のパラメータは、シングルユーザ（ＳＵ）モードで媒体にアクセスするように試みるための第２のセットのパラメータのうちの１つまたは複数のパラメータ、およびＭＵモードで媒体にアクセスするように試みるための第３のセットのパラメータのうちの１つまたは複数のパラメータとは異なる。
【００１７】
[0024]本開示の様々な態様が、添付の図面を参照して以下でより十分に説明される。しかしながら、本開示は、多くの異なる形態で具現化され得、本開示全体を通して提示されるいずれの特定の構造または機能にも限定されるとは解釈されるべきでない。むしろ、これらの態様は、本開示が徹底的で完全になるように、および当業者に本開示の範囲を十分に伝達することになるように提供される。本明細書における教示に基づいて、本開示のあらゆる他の態様から独立して実装されようと、本開示のあらゆる他の態様と組み合わせて実装されようと、本開示の範囲が本明細書で開示される開示のいずれの態様もカバーするように意図されていることを、当業者は認識すべきである。たとえば、本明細書で述べられる態様のうちのいずれの数の態様を使用しても、装置は実装され得る、または方法は実施され得る。加えて本開示の範囲は、本明細書で述べられる本開示の様々な態様以外に、または様々な態様に加えて、他の構造、機能性、または構造および機能性を使用して実施されるそのよう装置または方法をカバーするように意図されている。本明細書で開示される開示のいずれの態様も請求項の１つまたは複数の要素によって具現化され得ることは理解されるべきである。
【００１８】
[0025]「実例的（exemplary）」という言葉は、「例、事例、または例示としての役目をする」を意味するように本明細書では使用される。「実例的」と本明細書で説明されるいずれの態様も、必ずしも、他の態様より好ましい、または有利であると解釈されるわけではないこととする。
【００１９】
[0026]特定の態様が本明細書で説明されるけれども、これらの態様の多くの変形および置換が、本開示の範囲内に収まる。好ましい態様のいくつかの利益および利点が言及されるものの、本開示の範囲は、特定の利益、使用、または目的に限定されるようには意図されていない。むしろ、本開示の態様は、異なるワイヤレス技術、システム構成、ネットワーク、および送信プロトコルに広範に適用可能であるように意図されており、それらのうちのいくつかは、好ましい態様の下記の説明において、および図において、例として例示される。詳細な説明および図面は、限定ではなく単に本開示を例示するものであり、本開示の範囲は、添付の請求項およびそれらの均等物によって定義される。
例となるワイヤレス通信システム
【００２０】
[0027]本明細書で説明される技法は、直交多重化スキームに基づく通信システムを含む、様々なブロードバンドワイヤレス通信システムに使用され得る。そうした通信システムの例は、空間分割多元接続（ＳＤＭＡ）システム、時分割多元接続（ＴＤＭＡ）システム、直交周波数分割多元接続（ＯＦＤＭＡ）システム、単一キャリア周波数分割多元接続（ＳＣ−ＦＤＭＡ）システム等を含む。ＳＤＭＡシステムは、複数のユーザ端末に属するデータを同時に送信するために、足るだけの異なる方向を利用し得る。ＴＤＭＡシステムは、複数のユーザ端末が、異なるタイムスロットに送信信号を分割することによって同じ周波数チャネルを共有することを可能にし得、各タイムスロットは異なるユーザ端末に割り当てられる。ＯＦＤＭＡシステムは、システム帯域幅全体を複数の直交サブキャリアに区分する変調技法である直交周波数分割多重化（ＯＦＤＭ）を利用する。これらのサブキャリアは、トーン、ビン等とも呼ばれ得る。ＯＦＤＭでは、各サブキャリアは、データで独立して変調され得る。ＳＣ−ＦＤＭＡシステムは、システム帯域幅中に分散されるサブキャリア上で送信するためにインターリーブされたＦＤＭＡ（ＩＦＤＭＡ）を、隣接するサブキャリアの１つのブロック上で送信するために局所化されたＦＤＭＡ（ＬＦＤＭＡ）を、または隣接するサブキャリアの複数のブロック上で送信するために強化されたＦＤＭＡ（ＥＦＤＭＡ）を利用し得る。一般に、変調シンボルは、ＯＦＤＭでは周波数ドメインにおいて、およびＳＣ−ＦＤＭＡでは時間ドメインにおいて送られる。
【００２１】
[0028]本明細書における教示は、様々な有線またはワイヤレス装置（たとえば、ノード）に組み込まれ得る（たとえば、様々な有線またはワイヤレス装置内で実装され得る、または様々な有線またはワイヤレス装置によって実行され得る）。いくつかの態様では、本明細書における教示にしたがって実装されるワイヤレスノードは、アクセスポイントまたはアクセス端末を備え得る。
【００２２】
[0029]アクセスポイント（「ＡＰ」）は、ノードＢ、無線ネットワークコントローラ（「ＲＮＣ」）、進化型ノードＢ（ｅＮＢ）、基地局コントローラ（「ＢＳＣ」）、基地トランシーバ局（「ＢＴＳ」）、基地局（「ＢＳ」）、トランシーバ機能（「ＴＦ」）、無線ルータ、無線トランシーバ、ベーシックサービスセット（「ＢＳＳ」）、拡張サービスセット（「ＥＳＳ」）、無線基地局（「ＲＢＳ」）、または何らかの他の専門用語を備え得る、これらとして実装され得る、またはこれらとして知られ得る。
【００２３】
[0030]アクセス端末（「ＡＴ」）は、加入者局、加入者ユニット、モバイル局、遠隔局、遠隔端末、ユーザ端末、ユーザエージェント、ユーザデバイス、ユーザ機器、ユーザ局、または何らかの他の専門用語を備え得る、これらとして実装され得る、またはこれらとして知られ得る。いくつかの実装では、アクセス端末は、セルラ電話、コードレス電話、セッション開始プロトコル（「ＳＩＰ」）電話、ワイヤレスローカルループ（「ＷＬＬ」）局、パーソナルデジタルアシスタント（「ＰＤＡ」）、ワイヤレス接続能力を有するハンドヘルドデバイス、局（「ＳＴＡ」）、またはワイヤレスモデムに接続された何らかの他の適した処理デバイスを備え得る。したがって、本明細書で教示される１つまたは複数の態様は、電話（たとえば、セルラ電話またはスマートフォン）、コンピュータ（たとえば、ラップトップ）、ポータブル通信デバイス、ポータブルコンピューティングデバイス（たとえば、パーソナルデータアシスタント）、エンターテイメントデバイス（たとえば、音楽もしくはビデオデバイス、または衛星ラジオ）、全地球測位システムデバイス、あるいはワイヤレスまたは有線媒体を介して通信するように構成されているいずれの他の適したデバイスにも組み込まれ得る。いくつかの態様では、ノードはワイヤレスノードである。そうしたワイヤレスノードは、たとえば、有線またはワイヤレス通信リンクを介した、ネットワーク（たとえば、インターネットまたはセルラネットワークのような広域ネットワーク）のための接続、またはネットワークへの接続を提供し得る。
【００２４】
[0031]図１は、アクセスポイントおよびユーザ端末をもつ多元接続多入力多出力（ＭＩＭＯ）システム１００を例示する。簡潔さのために、図１には１つのアクセスポイント１１０のみが図示されている。アクセスポイントは一般に、ユーザ端末と通信する固定局であり、基地局または何らかの他の専門用語とも称され得る。ユーザ端末は、固定式または移動式であり得、モバイル局、ワイヤレスデバイス、または何らかの他の専門用語とも称され得る。アクセスポイント１１０は、ダウンリンクおよびアップリンク上でいずれの所与の瞬間にも１つまたは複数のユーザ端末１２０と通信し得る。ダウンリンク（すなわち、順方向リンク）は、アクセスポイントからユーザ端末への通信リンクであり、アップリンク（すなわち、逆方向リンク）は、ユーザ端末からアクセスポイントへの通信リンクである。ユーザ端末はまた、別のユーザ端末とピアツーピアで通信し得る。システムコントローラ１３０は、アクセスポイントに結合し、アクセスポイントに対して調整および制御を提供する。
【００２５】
[0032]ある特定の態様にしたがうと、媒体にアクセスするように試みるために第１のセットのパラメータが使用されるＳＵモードから、媒体にアクセスするように試みるために第２のセットのパラメータが使用されるＭＵモードに、ＳＴＡ（たとえば、ユーザ端末１２０）が移行する。ＳＴＡは、ＭＵモードからＳＵモードに戻るように移行すると、バックオフカウンタのセットのうちの１つまたは複数のバックオフカウンタを設定するための値を決定し、１つまたは複数のバックオフカウンタを設定した後、バックオフカウンタのセットに基づいて、１つまたは複数のＳＵ送信のために媒体にアクセスするように試みる。
【００２６】
[0033]ある特定の態様にしたがうと、基地局（ＢＳ）（たとえば、ＡＰ１１０）は、少なくとも１つのＳＴＡ（たとえば、ユーザ端末１２０）が媒体上に送信すべきデータを有することを検出し、少なくとも１つのＳＴＡにトリガフレームを送信するために、第１のセットのパラメータに基づいて媒体にアクセスするように試みる。トリガフレームは、マルチユーザ（ＭＵ）モードでデータを送信するためにリソースをスケジューリングする。ある態様では、第１のセットのパラメータのうちの１つまたは複数のパラメータは、シングルユーザ（ＳＵ）モードで媒体にアクセスするように試みるための第２のセットのパラメータのうちの１つまたは複数のパラメータ、およびＭＵモードで媒体にアクセスするように試みるための第３のセットのパラメータのうちの１つまたは複数のパラメータとは異なる。
【００２７】
[0034]下記の開示の複数の部分が、空間分割多元接続（ＳＤＭＡ）を介して通信する能力を有するユーザ端末１２０について説明することになるけれども、ある特定の態様では、ユーザ端末１２０はまた、ＳＤＭＡをサポートしないいくつかのユーザ端末も含み得る。したがって、そうした態様では、アクセスポイント（ＡＰ）１１０は、ＳＤＭＡユーザ端末と非ＳＤＭＡユーザ端末との両方と通信するように構成され得る。この手法は、好都合には、より古いバージョンのユーザ端末（「レガシ」局）が、それらの有効寿命を伸ばして、企業に引き続き配置されたままでいることを可能にする一方で、適切であると判断された場合に、より新しいＳＤＭＡユーザ端末が導入されることを可能にし得る。
【００２８】
[0035]システム１００は、ダウンリンクおよびアップリンク上でのデータ送信のために、複数の送信アンテナおよび複数の受信アンテナを用いる。アクセスポイント１１０は、Ｎａｐ個のアンテナを装備し、ダウンリンク送信については多入力（ＭＩ）を、およびアップリンク送信については多出力（ＭＯ）を表す。Ｋ個の選択されたユーザ端末１２０のセットは集合的に、ダウンリンク送信については多出力を、およびアップリンク送信については多入力を表す。純粋なＳＤＭＡでは、Ｋ個のユーザ端末についてのデータシンボルストリームが、何らかの手段により、コード、周波数、または時間で多重化されない場合、Ｎａｐ≧Ｋ≧１を有することが望ましい。ＴＤＭＡ技法、ＣＤＭＡを用いた異なるコードチャネル、ＯＦＤＭを用いた互いに素なサブバンドのセット等を使用してデータシンボルストリームが多重化され得る場合、Ｋは、Ｎａｐよりも大きいことがある。各選択されたユーザ端末は、アクセスポイントにユーザ固有データを送信する、および／またはアクセスポイントからユーザ固有データを受信する。一般に、各選択されたユーザ端末は、１つまたは複数のアンテナ（すなわち、Ｎｕｔ≧１）を装備し得る。Ｋ個の選択されたユーザ端末は、同じまたは異なる数のアンテナを有し得る。
【００２９】
[0036]システム１００は、時分割複信（ＴＤＤ）システムまたは周波数分割複信（ＦＤＤ）システムであり得る。ＴＤＤシステムでは、ダウンリンクおよびアップリンクは、同じ周波数帯域を共有する。ＦＤＤシステムでは、ダウンリンクおよびアップリンクは、異なる周波数帯域を使用する。ＭＩＭＯシステム１００はまた、送信のために単一のキャリアまたは複数のキャリアを利用し得る。各ユーザ端末は、（たとえば、コストを抑えるために）単一のアンテナを、または（たとえば、追加のコストがサポートされ得る場合）複数のアンテナを装備し得る。ユーザ端末１２０が、異なるタイムスロットに送信／受信を分割することによって同じ周波数チャネルを共有する場合、システム１００はまた、ＴＤＭＡシステムでもあり得、各タイムスロットは、異なるユーザ端末１２０に割り当てられる。
【００３０】
[0037]図２は、ＭＩＭＯシステム１００における、アクセスポイント１１０、ならびに２つのユーザ端末１２０ｍおよび１２０ｘのブロック図を例示する。アクセスポイント１１０は、Ｎｔ個のアンテナ２２４ａ〜２２４ｔを装備する。ユーザ端末１２０ｍは、Ｎｕｔ，ｍ個のアンテナ２５２ｍａ〜２５２ｍｕを装備し、ユーザ端末１２０ｘは、Ｎｕｔ，ｘ個のアンテナ２５２ｘａ〜２５２ｘｕを装備する。アクセスポイント１１０は、ダウンリンクでは送信エンティティ（transmitting entity）であり、アップリンクでは受信エンティティ（receiving entity）である。各ユーザ端末１２０は、アップリンクでは送信エンティティであり、ダウンリンクでは受信エンティティである。本明細書で使用される場合、「送信エンティティ」は、ワイヤレスチャネルを介してデータを送信する能力を有する、独立してオペレートされる装置またはデバイスであり、「受信エンティティ」は、ワイヤレスチャネルを介してデータを受信する能力を有する、独立してオペレートされる装置またはデバイスである。下記の説明では、下付き文字「ｄｎ」はダウンリンクを指し、下付き文字「ｕｐ」はアップリンクを指し、Ｎｕｐ個のユーザ端末が、アップリンク上での同時送信のために選択され、Ｎｄｎ個のユーザ端末が、ダウンリンク上での同時送信のために選択され、Ｎｕｐは、Ｎｄｎと等しくあり得るか、または等しくないこともあり、ＮｕｐおよびＮｄｎは、各スケジューリング間隔の間、静的な値であり得るか、または変化し得る。ビームステアリング、または何らかの他の空間処理技法が、アクセスポイントおよびユーザ端末で使用され得る。
【００３１】
[0038]アップリンク上では、アップリンク送信のために選択された各ユーザ端末１２０で、ＴＸデータプロセッサ２８８が、データソース２８６からトラフィックデータを、およびコントローラ２８０から制御データを受信する。ＴＸデータプロセッサ２８８は、該ユーザ端末のために選択されたレートに関連付けられたコーディングおよび変調スキームに基づいて、該ユーザ端末についてのトラフィックデータを処理（たとえば、符号化、インターリーブ、および変調）し、データシンボルストリームを提供する。ＴＸ空間プロセッサ２９０は、該データシンボルストリームに対して空間処理を実行し、Ｎｕｔ，ｍ個のアンテナにＮｕｔ，ｍ個の送信シンボルストリームを提供する。各送信機ユニット（ＴＭＴＲ）２５４は、アップリンク信号を生成するために、それぞれの送信シンボルストリームを受信および処理（たとえば、アナログにコンバート、増幅、フィルタリング、および周波数のアップコンバート）する。Ｎｕｔ，ｍ個の送信機ユニット２５４は、Ｎｕｔ，ｍ個のアンテナ２５２からアクセスポイントへの送信のために、Ｎｕｔ，ｍ個のアップリンク信号を提供する。
【００３２】
[0039]Ｎｕｐ個のユーザ端末が、アップリンク上での同時送信のためにスケジューリングされ得る。これらのユーザ端末の各々は、そのデータシンボルストリームに対して空間処理を実行し、その送信シンボルストリームのセットを、アップリンク上でアクセスポイントに送信する。
【００３３】
[0040]アクセスポイント１１０で、Ｎａｐ個のアンテナ２２４ａ〜２２４ａｐが、アップリンク上で送信するＮｕｐ個のユーザ端末の全てからアップリンク信号を受信する。各アンテナ２２４は、それぞれの受信機ユニット（ＲＣＶＲ）２２２に受信した信号を提供する。各受信機ユニット２２２は、送信機ユニット２５４によって実行されたものと相補的な処理を実行し、受信したシンボルストリームを提供する。ＲＸ空間プロセッサ２４０は、Ｎａｐ個の受信機ユニット２２２からのＮａｐ個の受信したシンボルストリームに対して受信機空間処理を実行し、Ｎａｐ個の復元されたアップリンクデータシンボルストリームを提供する。受信機空間処理は、チャネル相関マトリクス反転（ＣＣＭＩ：channel correlation matrix inversion）、最小平均二乗誤差（ＭＭＳＥ）、ソフト干渉除去（ＳＩＣ）、または何らかの他の技法にしたがって実行される。各復元されたアップリンクデータシンボルストリームは、それぞれのユーザ端末によって送信されたデータシンボルストリームの推定値である。ＲＸデータプロセッサ２４２は、復号されたデータを取得するために、そのストリームに使用されるレートにしたがって各復元されたアップリンクデータシンボルストリームを処理（たとえば、復調、デインターリーブ、および復号）する。各ユーザ端末についての復号されたデータは、記憶のためにデータシンク２４４に、および／またはさらなる処理のためにコントローラ２３０に提供され得る。
【００３４】
[0041]ダウンリンク上では、アクセスポイント１１０で、ＴＸデータプロセッサ２１０が、ダウンリンク送信のためにスケジューリングされたＮｄｎ個のユーザ端末についてデータソース２０８からトラフィックデータを、コントローラ２３０から制御データを、および場合によってはスケジューラ２３４から他のデータを受信する。様々なタイプのデータが、異なるトランスポートチャネル上で送られ得る。ＴＸデータプロセッサ２１０は、各ユーザ端末についてのトラフィックデータを、そのユーザ端末のために選択されたレートに基づいて、処理（たとえば、符号化、インターリーブ、および変調）する。ＴＸデータプロセッサ２１０は、Ｎｄｎ個のユーザ端末に対するＮｄｎ個のダウンリンクデータシンボルストリームを提供する。ＴＸ空間プロセッサ２２０は、Ｎｄｎ個のダウンリンクデータシンボルストリームに対して（本開示で説明される場合、プリコーディングまたはビームフォーミングのような）空間処理を実行し、Ｎａｐ個のアンテナにＮａｐ個の送信シンボルストリームを提供する。各送信機ユニット２２２は、ダウンリンク信号を生成するために、それぞれの送信シンボルストリームを受信および処理する。Ｎａｐ個の送信機ユニット２２２は、Ｎａｐ個のアンテナ２２４からユーザ端末への送信のために、Ｎａｐ個のダウンリンク信号を提供する。
【００３５】
[0042]各ユーザ端末１２０で、Ｎｕｔ，ｍ個のアンテナ２５２が、アクセスポイント１１０からＮａｐ個のダウンリンク信号を受信する。各受信機ユニット２５４は、関連付けられたアンテナ２５２からの受信した信号を処理し、受信したシンボルストリームを提供する。ＲＸ空間プロセッサ２６０は、Ｎｕｔ，ｍ個の受信機ユニット２５４からのＮｕｔ，ｍ個の受信したシンボルストリームに対して受信機空間処理を実行し、該ユーザ端末のための復元されたダウンリンクデータシンボルストリームを提供する。受信機空間処理は、ＣＣＭＩ、ＭＭＳＥ、または何らかの他の技法にしたがって実行される。ＲＸデータプロセッサ２７０は、ユーザ端末ための復号されたデータを取得するために、復元されたダウンリンクデータシンボルストリームを処理（たとえば、復調、デインターリーブ、および復号）する。
【００３６】
[0043]各ユーザ端末１２０で、チャネル推定器２７８が、ダウンリンクチャネル応答を推定し、ダウンリンクチャネル推定値を提供し、該ダウンリンクチャネル推定値は、チャネル利得推定値、ＳＮＲ推定値、雑音分散等を含み得る。同様に、チャネル推定器２２８は、アップリンクチャネル応答を推定し、アップリンクチャネル推定値を提供する。各ユーザ端末のためのコントローラ２８０は通常、該ユーザ端末のための空間フィルタマトリクスを、そのユーザ端末のためのダウンリンクチャネル応答マトリクスＨｄｎ，ｍに基づいて導出する。コントローラ２３０は、アクセスポイントのための空間フィルタマトリクスを、実効アップリンクチャネル応答マトリクスＨｕｐ，ｅｆｆに基づいて導出する。各ユーザ端末のためのコントローラ２８０は、アクセスポイントにフィードバック情報（たとえば、ダウンリンクおよび／またはアップリンク固有ベクトル、固有値、ＳＮＲ推定値等）を送り得る。コントローラ２３０および２８０はまた、アクセスポイント１１０およびユーザ端末１２０で、それぞれ、様々な処理ユニットのオペレーションを制御する。
【００３７】
[0044]図１および図２で例示されているように、１つまたは複数のユーザ端末１２０は、たとえば、ＵＬ  ＭＵ−ＭＩＭＯ送信の一部としてアクセスポイント１１０に、プリアンブルフォーマットをもつ１つまたは複数の高効率ＷＬＡＮ（ＨＥＷ）パケット１５０を送り得る。各ＨＥＷパケット１５０は、１つまたは複数の空間ストリーム（たとえば、最大４）のセット上で送信され得る。ある特定の態様では、ＨＥＷパケット１５０のプリアンブル部分は、トーンインターリーブされたＬＴＦ、サブバンドベースＬＴＦ、またはハイブリットＬＴＦを含み得る。
【００３８】
[0045]ＨＥＷパケット１５０は、ユーザ端末１２０でパケット生成ユニット２８７によって生成され得る。パケット生成ユニット２８７は、ユーザ端末１２０の処理システムにおいて、たとえば、ＴＸデータプロセッサ２８８、コントローラ２８０、および／またはデータソース２８６において、実装され得る。
【００３９】
[0046]ＵＬ送信後、ＨＥＷパケット１５０は、アクセスポイント１１０でパケット処理ユニット２４３によって処理（たとえば、復号および解釈）され得る。パケット処理ユニット２４３は、アクセスポイント１１０の処理システムにおいて、たとえば、ＲＸ空間プロセッサ２４０、ＲＸデータプロセッサ２４２、またはコントローラ２３０において、実装され得る。パケット処理ユニット２４３は、パケットタイプ（たとえば、そのＩＥＥＥ８０２．１１規格に対する改正に、受信したパケットが準拠する）に基づいて、受信したパケットを各様に（differently）処理し得る。たとえば、パケット処理ユニット２４３は、ＩＥＥＥ８０２．１１ＨＥＷ規格に基づいてＨＥＷパケット１５０を処理し得るが、レガシパケット（たとえば、ＩＥＥＥ８０２．１１ａ／ｂ／ｇに準拠するパケット）を、それに関連付けられた規格改正にしたがって、異なる方法で解釈し得る。
シングルユーザモードとマルチユーザモードとの間の移行のための例となるバックオフ技法
【００４０】
[0047]ＩＥＥＥ８０２．１１ベースワイヤレスローカルエリアネットワーク（ＷＬＡＮ）技術が、ブロードバンドサービスを提供するために広く展開されてきた。さらなるパフォーマンス改善のために、次世代ＷＬＡＮ規格、ＩＥＥＥ８０２．１１ａｘが新たな媒体アクセス制御（ＭＡＣ）およびＰＨＹレイヤの標準化を始めている。ＩＥＥＥ８０２．１１ａｘは、密集した配置シナリオにおいて局（ＳＴＡ）ごとの平均スループットの少なくとも４倍の改善を、局ごとの電力効率を維持または改善しながら提供することを目標と定めている。ＩＥＥＥ８０２．１１ａｘが、密集した配置シナリオを考慮しているので、重いトラフィック負荷は、次世代ＷＬＡＮの大前提（basic assumption）のうちの１つである。ユーザの数がＷＬＡＮにおいて増加するにつれて、ＭＡＣアクセス遅延が急激に増加することは周知である。
【００４１】
[0048]ＷＬＡＮの１つの代表的な特性は、ＭＡＣプロトコルとしての衝突回避を伴うキャリア感知多重アクセス（ＣＳＭＡ／ＣＡ）の使用である。それは、パフォーマンスと、ロバストネスと、実装コストとの間で合理的なトレードオフを提供する。ＣＳＭＡ／ＣＡでは、ノードは、それがパケットの送信準備を完了するとき、通信チャネルをリスンする。一度チャネルがフリーである（すなわち、チャネル上のエネルギーレベルがＣＣＡ（クリアチャネルアセスメント）しきい値よりも低い）ことをノードが検出すると、ノードは、バックオフカウンタについてのランダム初期値を選択することによってバックオフプロシージャをスタートさせる。ノードはその後、チャネルを感知し続けている間にバックオフカウンタを減少させ始める。同じＷＬＡＮ内の他のノードまたは他のＷＬＡＮに属するものの何れか一方（either）からの送信がチャネル上で検出されるときはいつでも、バックオフカウンタは、チャネルが再びフリーであると検出されるまで停止され、このチャネルが再びフリーであると検出される時点で（at which point）カウントダウンが再開される。バックオフカウンタがゼロに達するとき、ノードは該チャネル上で送信し始める。
【００４２】
[0049]サービス品質（ＱｏＳ）は、キューごとに異なるバックオフ生成プロシージャを事実上確立するのを助けるいくつかのアクセスカテゴリ（ＡＣ）を利用することによって実施され得、ここで、各ＡＣは異なるキューを使用する。各キューについて、各ＡＣに割り当てられた異なる優先度が、ワイヤレス媒体へのアクセスを獲得する異なる確率を確立するのを事実上助ける。たとえば、バックオフタイマが満了するときに異なるＡＣのパケットが送信準備を完了している場合、優先度がより高いアクセスカテゴリが、アクセスをグラントされ得る。いくつかのバックオフカウンタが、カウンタごとに１つまたは複数の異なるＡＣキューを用いて（たとえば、１つの送信機を共有して）実装され得る。
【００４３】
[0050]スマートフォンおよびソーシャルネットワーキングアプリケーションの流行により、ユーザは度々、彼らのピアと共有するために彼ら自身のコンテンツをアップロードする。今日のＷＬＡＮネットワークでは、こうしたユーザのデバイスが同じアクセスポイント（ＡＰ）に接続されている場合、それらは無線リソースを求めて競争し、１つずつシーケンシャルにそれらのコンテンツを送信しなければならない。さらに、ＷＬＡＮユーザの密度が非常に高い（たとえば、１ユーザ／ｍ２）シナリオにおいて高データレートを提供することは、多くのＡＰが互いに対して近く（たとえば、互いから５−１０ｍ内）に置かれる配置を要求する。ＷＬＡＮユーザのそうした高密度の例は、スタジアム、電車、アパート（apartment building）等を含む。これらの密集したシナリオでは、最も関連する課題は干渉問題に関し、これは、パケット誤り率を高め、近隣のＷＬＡＮがチャネルにアクセスするのを妨げることによって所与のエリアにおける同時送信の数を低減する。加えて、同じエリアに多くのＳＴＡが存在することが、２つ以上のＳＴＡのバックオフカウンタが同時にゼロに達する可能性を高め、これが結果として衝突をもたらす。
【００４４】
[0051]さらに、使用中のＷｉ−Ｆｉデバイスの数が増加すると、レガシＷｉ−ＦｉにおけるＣＳＭＡの非能率さが、ユーザごとのスループットの低下に繋がり得る。８０２．１１ａｘの１つの目的は、技術の効率を上げ、平均ユーザスループットの４倍の改善を達成することである。
【００４５】
[0052]上で着目されたように、次世代ＷＬＡＮでは、密集したユーザ人口による重いトラフィック負荷の状況が予期される。ＷＬＡＮが競争ベース分散チャネルアクセスを用いるので、大量のトラフィックが、非常に長いチャネルアクセス遅延を引き起こす。次世代ＷＬＡＮ（たとえば、８０２．１１ａｘ）におけるキーとなる実施可能技術（key enabling technologies）のうちの１つはＯＦＤＭＡである。従来の分散型コーディネーション機能（ＤＣＦ：Distributed Coordination Function）チャネルアクセスおよびより広い帯域幅オペレーションでは、シングルユーザが、所与の時間にチャネルに対して許可される。しかしながら、ＯＦＤＭＡでは、複数のユーザが同時にチャネルにアクセスすることを許可される。
【００４６】
[0053]上で言及された重いチャネルアクセス負荷の問題を軽減するために、およびリソース衝突を回避するために、集中したリソースの割振りを含むマルチユーザ（ＭＵ）ＰＨＹが、８０２．１１ａｘによって定義されている。８０２．１１ａｘは概して、シングルユーザ（ＳＵ）モードおよびマルチユーザ（ＭＵ）モードをサポートする。ＳＵモードは概して、１つずつの局への競争ベースアクセスを可能にするレガシＳＵアクセスと同じである。ＭＵモード（またはスケジューリングされたモード）は、複数のＭＵ対応ＳＴＡがアップリンク上での同時送信のためにスケジューリングされることを可能にする。ＭＵモードでは、サービングＡＰが一般に、同時ＵＬ送信のために複数のＭＵ対応ＳＴＡのためのリソース（たとえば、時間および周波数リソース）をスケジューリングするトリガフレームをブロードキャストすることによって、調整役（coordinator）の機能を果たす。一度トリガフレームを受信すると、各ＭＵ対応ＳＴＡは、その対応するスケジューリングされたリソースを使用してＵＬ上で送信する。複数のスケジューリングされたＳＴＡからのＵＬ送信は一般に、同時および直交であり得る。
【００４７】
[0054]一般に、ＳＵモードとＭＵモードとの両方をサポートする８０２．１１ａｘは、対立する要件を有する。１つは、送信されるべきデータを有するＳＴＡがそのデータを送信できるべきであることであり、２つ目は、ＳＴＡがそれ自身でデータを送信しないようにこのデータ送信をＡＰがスケジューリングするべきであることである。これらの対立する要件を満たすために、８０２．１１ａｘにおいて実装される一技法は、ＭＵ対応ＳＴＡがデフォルトで、ＳＵモードでオペレートすることを可能にすることを含む。したがって、デフォルトで、ＳＴＡが送信すべきデータを有するときはいつでも、それは、レガシＳＵモードメカニズムにしたがってそのデータを送り得る。第１のＳＵパケットは、ＳＴＡのＵＬ送信のＳＵヘッダにおいて、ＳＴＡがより多くの送るべきデータを有するというインジケーションを有し得る。それに応じて、ＡＰは、後続のデータパケットの送信のために（たとえば、トリガフレームを送ることによって）ＳＴＡをスケジューリングし得る。一度ＳＴＡがＵＬリソースをスケジューリングするトリガフレームを受信すると、ＳＴＡは、ＭＵモードに切り替わり、スケジューリングされたリソースを使用してデータパケットを送信し得る。
【００４８】
[0055]ある特定の態様では、ＳＴＡは、送信される必要がある全てのデータパケットを１セットのスケジューリングされたリソースには収容をできないことがあり、その送信を完了するために、より多くのリソースをスケジューリングするいくつかのトリガフレームを受信する必要があり得る。たとえば、ＳＵモードには異なるアクセスカテゴリ（ＡＣ）が存在し得、１つまたは複数のＡＣが、それら自身の対応するバックオフカウンタを有し得る。複数のＡＣを有するＳＴＡが、ＭＵモード送信のためにＳＴＡに対するＵＬリソースをスケジューリングするトリガフレームを受信するとき、ＳＴＡは、（たとえば、そのバッファに記憶されている）全てのＡＣについてのデータパケットをスケジューリングされたリソースに収容できないことがある。一般にＡＰは、全てのＡＣに対応するデータパケットをＳＴＡが送信することを可能にする後続のトリガフレームを使用して、より多くのリソースをスケジューリングし続ける。
【００４９】
[0056]しかしながら、ある特定の態様では、ＳＴＡがＭＵモードにある間、ＡＰは、ＵＬデータパケットの送信のためにＳＴＡをスケジューリングし損ない得る（fail to schedule）。たとえば、ＳＴＡは、予め設定されたタイムアウト期間の前に、サービングＡＰから後続のトリガフレームを受信することに成功し損ね得る。そうしたケースでは、ＳＴＡは、残りの送信を実行するためのＳＵモードに戻るように切り替わることを可能にされ得る。ＳＴＡは、それが別のトリガフレームを受信するとき、ＭＵモードに戻るように切り替わり得る。
【００５０】
[0057]本開示のある特定の態様は、ＭＵモードからＳＵモードに移行するとき、ＳＵモードの１つまたは複数のバックオフカウンタの値を決定するための技法について論じている。
【００５１】
[0058]図３は、本開示のある特定の態様にしたがった、ＷＬＡＮネットワークにおいて局（ＳＴＡ）によって実行される例となるオペレーション３００を例示する。オペレーション３００は、媒体にアクセスするように試みるために第１のセットのパラメータが使用されるＳＵモードから、媒体にアクセスするように試みるために１つまたは複数のパラメータの第２のセットが使用されるＭＵモードに移行することによって、３０２から開始する。３０４で、ＳＴＡは、ＭＵモードからＳＵモードに戻るように移行すると、バックオフカウンタのセットのうちの１つまたは複数のバックオフカウンタを設定するための値を決定する。３０６で、ＳＴＡは、１つまたは複数のバックオフカウンタを設定した後、バックオフカウンタのセットに基づいて、１つまたは複数のＳＵ送信のために媒体にアクセスするように試みる。
【００５２】
[0059]ある特定の態様では、ＳＵモードに戻るように移行した後、ＳＴＡは、ＭＵモードのオペレーションのために定義された第２のセットのパラメータ（たとえば、ＭＵ拡張分散チャネルアクセス（ＥＤＣＡ）パラメータセット）に基づいて、１つまたは複数のバックオフカウンタの値を決定し得る。ある態様では、第２のセットのパラメータは、ＳＵモードのオペレーションのために定義される第１のセットのパラメータ（たとえば、ＳＵ  ＥＤＣＡパラメータセット）とは異なる。したがって、第２のセットのＭＵモードパラメータに基づくＳＵモード送信のためのバックオフカウンタの値は、第１のセットのＳＵモードパラメータに基づくバックオフカウンタの値とは異なる。
【００５３】
[0060]ある特定の態様では、ＳＴＡは、たとえば、トリガフレームを受信したことに応じてＭＵモードに移行する前に、デフォルトのＳＵモードでオペレートし始め得る。ある特定の態様では、ＳＴＡがＭＵモードからＳＵモードに戻るように移行するとき、緩和した（たとえば、デフォルトＳＵモードよりもアグレッシブでない）ＳＵモード手法が、緩和したＳＵモードのＳＴＡがあまりアグレッシブでない（less aggressive）方法でチャネルへのアクセスを獲得するように試みるように、実装され得る。たとえば、追加の拡張分散チャネルアクセス（ＥＤＣＡ）パラメータが、緩和されたＳＵモードのオペレーションを実装するために定義される。ある態様では、緩和されたＳＵモードのオペレーションに使用される１つまたは複数のＥＤＣＡパラメータは、デフォルトのＳＵモードのオペレーションのために使用される１つまたは複数のＥＤＣＡパラメータとは異なる。たとえば、新たなＥＤＣＡパラメータセットは、ＳＵモードにおいて（たとえば、１つまたは複数のＡＣに対応する）１つまたは複数のバックオフカウンタについてより高い値を含み得る。ある特定の態様では、より長いバックオフカウンタを介して実施される緩和されたＳＵオペレーションは、ＭＵオペレーションのためにＳＴＡをスケジューリングするのに足るだけの時間をＡＰに与え得るため、ＳＴＡがＭＵオペレーションのためにスケジューリングされ得る前のＳＴＡによる時期尚早なＳＵ送信を回避する。ある態様では、ＳＴＡの１つまたは複数のＳＵモードバックオフカウンタは、ＳＴＡがＭＵモードからＳＵモードに移行するとき、それらに対応する所定の値（たとえば、あまりアグレッシブでない値）にリセットされ得る。バックオフカウンタがより長いバックオフ値にリセットされるので、ＡＰは、ＳＵ送信を先だって阻止する（preempting）トリガフレームをＳＴＡに送る機会を有し得る。これは、システムが、スケジューリングされたＭＵモードでよりオペレートし、スケジューリングされないＳＵモードであまり（less）オペレートしないことを助け得る。ある態様では、デフォルトのＳＵモードと緩和されたＳＵモードとの両方に使用されるバックオフカウンタが、所定の値（たとえば、より長いバックオフ値）にリセットされる。
【００５４】
[0061]ある特定の態様では、上で着目されたような初期チャネルアクセスのためにＳＴＡによって使用され得るデフォルトのＳＵモード（たとえば、レガシＳＵモード）、および、たとえばサービングＡＰからのトリガフレームの受信失敗の結果として、ＳＴＡがＭＵモードからＳＵモードに切り替わるように強いられたときに実装される緩和された（たとえば、あまりアグレッシブでない）ＳＵモードに対して、異なるＥＤＣＡパラメータが定義され得る。たとえば、デフォルトのＳＵモードでは、１つまたは複数のＳＵモードバックオフカウンタについてより低い値が選択され得、緩和されたＳＵモードでは、１つまたは複数のバックオフカウンタについてより高い値が選択され得る。ある特定の態様では、ＳＵパケットを送信するために、デフォルトのＳＵモードはＳＵモードＥＤＣＡパラメータを使用し得、緩和されたＳＵモードは１つまたは複数のＭＵモードＥＤＣＡパラメータを使用し得る。したがって、緩和されたＳＵモードにおけるＳＵ送信に使用されるバックオフカウンタの緩和された値は、ＭＵモードＥＤＣＡパラメータの一部として含まれる追加のＥＤＣＡパラメータに基づいて設定され得る。
【００５５】
[0062]ある特定の態様では、バックオフカウンタの値を含むＥＤＣＡパラメータは、サービングＡＰによって、それにサービングされる局に送信され得る。
【００５６】
[0063]ある特定の態様では、ＳＵモードからＭＵモードへの移行は、ＳＴＡによって受信されたトリガフレームにＳＴＡが応答することに成功したことに基づく。たとえば、ＡＰからトリガフレームを受信したことに応じて、ＳＴＡは、トリガフレームによってスケジューリングされたリソースに基づいて、ＡＰにデータを送信し得る。ＳＴＡは、データがＡＰによって受信されたことを示す確認応答をＡＰからそれが受信したとき、それがトリガフレームに応答することに成功したことを決定し得る。
【００５７】
[0064]ある特定の態様では、（たとえば、緩和したバックオフ値に）ＳＵモードバックオフカウンタをリセットすることが単純な技法であり、ＭＵモードでＳＴＡをスケジューリングすることによってＳＵモード送信を先だって阻止するのを助けるけれども、ＳＵ送信（たとえば、デフォルトのＳＵモード送信）は、すべてのＳＵモードバックオフカウンタをリセットした結果として被害を受け得る。
【００５８】
[0065]ある特定の態様では、ＳＵモードからＭＵモードに移行するとき、ＳＴＡは、（たとえば、ＳＵユーザによって使用される）１つまたは複数のＳＵバックオフカウンタの値を記憶し得る。ＳＵモードに戻るように移行するとき、ＳＴＡは、ＳＵバックオフカウンタを、それらに対応する記憶された値から戻し得る（たとえば、再スタートし得る）。しかしながら、ある態様では、ＭＵバックオフカウンタ（たとえば、ＭＵモードからＳＵモードに戻るように移行した後にＳＵ送信のためにＭＵユーザによって使用されるバックオフカウンタ）がリセットされる。このケースでは、スケジューリングがＭＵユーザにのみ予期されるので、スケジューリングの利益が依然として維持されながら、ＳＵパフォーマンスが低下されない。
【００５９】
[0066]図４は、本開示のある特定の態様にしたがった、ＳＴＡによってバックオフカウンタの値を決定するための例となるシナリオ４００Ａおよび４００Ｂを例示する。
【００６０】
[0067]４００Ａで図示されているように、同時ＵＬ送信のために局ＳＴＡ１、ＳＴＡ２、およびＳＴＡ３のためにＵＬリソースをスケジューリングするトリガフレーム４０２が、ＡＰによって４０２で送信される。ＳＴＡのうちの１つまたは複数が、ＡＰからトリガフレームを受信する前は、デフォルトのＳＵモードでオペレートしていることがある。トリガフレーム４０２を受信したことに応じて、ＳＴＡ１−３は、ＭＵモードに移行し、トリガフレーム４０２によってスケジューリングされたリソース上で、ＵＬ上においてパケットを同時に送信する。ＡＰは、所定のタイムアウト期間が満了する前に別のトリガフレームを送信しない。ある態様では、ＡＰは、タイムアウト期間が満了する前に別のトリガフレームを送信し得るが、１つまたは複数のＳＴＡは、たとえば干渉に起因して、それを受信しないことがある。一度タイムアウト期間が満了すると、各ＳＴＡは、ＳＵモード（たとえば、緩和したＳＵモード）に戻るように移行する。しかしながら、ＳＴＡ１は、トリガフレーム４０２によってスケジューリングされたリソースを使用して、そのデータパケット全てを送りきっていないことがある。したがって、ＳＴＡ１は、一度カウンタが満了すると、所定の値（たとえば、緩和したバックオフ値）にそのＳＵモードバックオフカウンタのうちの１つまたは複数をリセットし、ＳＵ送信として残りのパケットを送信するように試み得る。ある態様では、４００Ａで図示されているように、ＳＴＡ１は、そのリセットされたバックオフカウンタが満了する前に、より多くのリソースをスケジューリングする別のトリガフレームを受信し得る。そうしたケースでは、ＳＴＡ１は、受信されたトリガフレームに基づいてＭＵモードで送信を再開する。
【００６１】
[0068]４００Ｂで図示されているように、トリガフレーム４０２を受信すると、ＳＴＡ１−３のうちの１つまたは複数は、たとえばＭＵモードに移行する前に、それらのＳＵモードバックオフカウンタのうちの１つまたは複数の値を記憶し得る。４００Ａに関して上で論じられたように、ＳＴＡ１−３は、トリガフレーム４０２によってスケジューリングされたリソース上で、ＭＵモードでＵＬ上においてパケットを同時に送信する。しかしながら、タイムアウトが生じるとき、バックオフカウンタをリセットする代わりに、ＳＴＡ１は、ＳＵバックオフカウンタの記憶された値を戻し、タイマが満了するとき残りのパケットを送信するように試み得る。ある態様では、ＳＵモードに戻るように移行した後、ＳＴＡ１は、ＭＵバックオフカウンタをリセットし得、ＭＵバックオフカウンタが満了する前に別のトリガフレームを受信し得る。そのようなケースでは、４００Ｂで図示されているように、ＳＴＡ１は、受信されたトリガフレームに基づいてＭＵモードで送信を再開する。
【００６２】
[0069]ある特定の態様では、サービングＡＰが、トリガフレームを送信するために、パラメータ（たとえば、ＥＤＣＡパラメータ）のセットに基づいて媒体にアクセスするように試み得る。ある態様では、トリガフレームを送信するためにＡＰによって使用されるパラメータのセットのうちの１つまたは複数のパラメータは、シングルユーザ（ＳＵ）モードで媒体にアクセスするように試みるための１つまたは複数のパラメータ（たとえば、ＥＤＣＡパラメータ）、およびマルチユーザ（ＭＵ）モードで媒体にアクセスするように試みるためのパラメータのセットのうちの１つまたは複数のパラメータとは異なる。
【００６３】
[0070]図５は、本開示のある特定の態様にしたがった、トリガフレームを送信するためにＡＰによって実行される例となるオペレーション５００を例示する。オペレーション５００は、少なくとも１つの局（ＳＴＡ）が媒体上に送信すべきデータを有することを検出することによって、５０２から開始する。５０４で、ＡＰは、少なくとも１つのＳＴＡにトリガフレームを送信するために、第１のセットのパラメータに基づいて媒体にアクセスするように試み、該トリガフレームは、ＭＵモードでデータを送信するためのリソースをスケジューリングする。ある態様では、第１のセットのパラメータのうちの１つまたは複数のパラメータは、シングルユーザ（ＳＵ）モードで媒体にアクセスするように試みるための第２のセットのパラメータのうちの１つまたは複数のパラメータ、およびＭＵモードで媒体にアクセスするように試みるための第３のセットのパラメータのうちの１つまたは複数のパラメータとは異なる。
【００６４】
[0071]ある特定の態様では、第１、第２、および第３のセットのパラメータのうちのパラメータは、ＥＤＣＡパラメータを含む。ある特定の態様では、ＭＵモードで媒体にアクセスするように試みるための第３のセットのパラメータは、ＳＴＡがＭＵモードからＳＵモードに戻るように移行した後、ＳＵ送信のために媒体にアクセスするように使用されるパラメータを含む。
【００６５】
[0072]ある特定の態様では、ＡＰは、ＳＵモードで１つまたは複数のＳＴＡによって媒体にアクセスする試みの数に基づいて、第１のセットのパラメータのうちの１つまたは複数の値を調整し得る。ある態様では、ＳＵモードで媒体にアクセスする多数の試みは、システムが飽和状態に近いことを示す。ある特定の態様では、システムが飽和状態になり始めた（たとえば、媒体にアクセスする多数のＳＵ試みによって示される）とき、ＡＰは、ＳＴＡがＭＵモードでオペレートすることを強いるためにトリガフレームを送ることによって、媒体にアクセスするＳＵ試みを先だって阻止し得る。ある態様では、システムが飽和状態になり始めていることをＡＰが検出するとき、ＡＰは、トリガフレームを送るためにパラメータのよりアグレッシブな値を使用し得る。
ＭＵ  ＥＤＣＡパラメータセット要素
【００６６】
[0073]ＥＤＣＡパラメータセット要素は概して、競争期間（ＣＰ）中のＱｏＳファシリティの適したオペレーションのためにＳＴＡによって必要とされる情報を提供する。（たとえば、ＭＵモードのオペレーションに使用される）ＭＵ  ＥＤＣＡパラメータセット要素のフォーマットが、図６で例示されている。要素ＩＤフィールドおよび長さフィールドは、８０２．１１規格で定義されている。
【００６７】
[0074]インフラ基本サービスセット（ＢＳＳ）では、ＭＵ  ＥＤＣＡパラメータセット要素は、（デフォルトの管理情報ベース（ＭＩＢ）属性値を変更することによって）ポリシを確立するため、新たなＳＴＡまたは新たなトラフィックを受け入れるときにポリシを変更するため、あるいは供給された負荷の変更に適応するために、ＡＰによって使用され得る。ＳＴＡによって受信される最も間近のＭＵ  ＥＤＣＡパラメータセット要素が、適切なＭＩＢ値を更新するために使用され得る。
【００６８】
[0075]ＭＵ  ＱｏＳ情報フィールドのフォーマットは、規格で定義されているＱｏＳ情報フィールドと同じである。ＭＵ  ＱｏＳ情報フィールドは、ＥＤＣＡパラメータセット更新カウントサブフィールドを含み、該ＥＤＣＡパラメータセット更新カウントサブフィールドは、最初に０に設定され、ＡＣパラメータのうちの任意のものが変化するたびにインクリメントされる。このサブフィールドは、ＭＵ  ＥＤＣＡパラメータセットが変化したかどうかを決定するために非ＡＰ  ＳＴＡによって使用され得、適切なＭＩＢ属性を更新することを要求し得る。
【００６９】
[0076]ＭＵ  ＥＤＣＡタイマは、タイマユニット（ＴＵ）における持続時間を示し、該持続時間の間、提供されたＭＵ  ＥＤＣＡパラメータが、トリガフレームの受信後、有効である。
【００７０】
[0077]ある態様では、ＭＵ  ＡＣ＿ＢＥ、ＭＵ  ＡＣ＿ＢＫ、ＭＵ  ＡＣ＿ＶＩ、およびＭＵ  ＡＣ＿ＶＯパラメータ記録フィールドのフォーマットは同一であり、図７で例示されている。図７で図示されているようなＡＣＩ／ＡＩＦＳＮフィールドのフォーマットは、８０２．１１規格で例示されており、そのサブフィールドの符号化は該規格で定義されている。ＥＣＷｍｉｎ／ＥＣＷｍａｘフィールドのフォーマットは該規格で例示されており、そのサブフィールドの符号化は該規格で定義されている。
スケジューリングされていないモードでＳＵからＭＵに切り替わるためのＳＴＡ挙動
【００７１】
[0078]ＳＴＡのＡＩＤをもつユーザごと情報フィールドを含むトリガフレーム（たとえば、基本可変トリガフレーム）を受信する高効率（ＨＥ）非ＡＰ  ＳＴＡは、ＳＴＡが関連付けられているＡＰによって送られた最も間近に受信されたＭＵ  ＥＤＣＡパラメータセット要素に含まれている値に、そのＥＤＣＡパラメータ、たとえばｄｏｔ１１ＥＤＣＡＴａｂｌｅＣＷｍｉｎ、ｄｏｔ１１ＥＤＣＡＴａｂｌｅＣＷｍａｘ、ｄｏｔ１１ＥＤＣＡＴａｂｌｅＡＩＦＳＮ、およびｄｏｔ１１ＨＥＭＵＥＤＣＡＴｉｍｅｒを更新し得る。ある態様では、ｄｏｔ１１ＨＥＭＵＥＤＣＡＴｉｍｅｒは、その値が非ゼロであるとき、均一に０に向かってカウントダウンし得る。
【００７２】
[0079]ＨＥ  ＳＴＡは、ＳＴＡが関連付けられているＡＰによって送られた最も間近に受信されたＥＤＣＡパラメータセット要素に含まれている値に、またはデフォルト、たとえばｄｏｔ１１ＨＥＭＵＥＤＣＡＴｉｍｅｒが０に達したときにＥＤＣＡパラメータセット要素が受信されていないときのｄｏｔ１１ＥＤＣＡＴａｂｌｅに、そのＥＤＣＡパラメータ、たとえばｄｏｔ１１ＥＤＣＡＴａｂｌｅＣＷｍｉｎ、ｄｏｔ１１ＥＤＣＡＴａｂｌｅＣＷｍａｘ、およびｄｏｔ１１ＥＤＣＡＴａｂｌｅＡＩＦＳＮを更新し得る。
スケジューリングされたモード（たとえば、ターゲットウェイク時間（ＴＷＴ））でＳＵモードからＭＵモードに切り替わるためのＳＴＡ挙動
【００７３】
[0080]ある特定の態様では、ＴＷＴ  ＳＴＡは、ＭＩＢ属性を更新し得る。各暗示的ＴＷＴサービス期間（ＳＰ）またはトリガ対応ＴＷＴ  ＳＰ終了時間に、ＳＴＡは、ＥＤＣＡパラメータ、たとえばｄｏｔ１１ＥＤＣＡＴａｂｌｅＣＷｍｉｎ、ｄｏｔ１１ＥＤＣＡＴａｂｌｅＣＷｍａｘ、およびｄｏｔ１１ＥＤＣＡＴａｂｌｅＡＩＦＳＮを、それが関連付けられているＡＰによって送られた最も間近に受信されたＭＵ  ＥＤＣＡパラメータセット要素に含まれている値に、ＡＰによって提供されていれば（if one is provided by the AP）、更新し得る。そうでなければ、ＳＴＡは、パラメータについての値を更新しないことがある。ある態様では、暗示的ＴＷＴ  ＳＰ期間は、ＳＴＡが、それに対してトリガフレームをＡＰが送信することを予期しない時間期間である。
【００７４】
[0081]ある特定の態様では、各暗示的ＴＷＴ  ＳＰスタート時間に、ＳＴＡは、それが関連付けられているＡＰによって送られた最も間近に受信されたＥＤＣＡパラメータセット要素に含まれている値に、ＡＰによって提供されていれば、ＥＤＣＡパラメータ、たとえばｄｏｔ１１ＥＤＣＡＴａｂｌｅＣＷｍｉｎ、ｄｏｔ１１ＥＤＣＡＴａｂｌｅＣＷｍａｘ、およびｄｏｔ１１ＥＤＣＡＴａｂｌｅＡＩＦＳＮを更新し得る。そうでなければ、ＥＤＣＡパラメータは、規格において、「ＨＣＦ（ハイブリッド調整機能（Hybrid Coordination Function）競争ベースチャネルアクセス（ＥＤＣＡ））」下で定義されているようなパラメータについてのデフォルトの値に設定され得る。
【００７５】
[0082]ある特定の態様では、各トリガ対応ＴＷＴ  ＳＰスタート時間に、ＳＴＡは、トリガ対応ＴＷＴ  ＳＰ持続時間の値にｄｏｔ１１ＭＵＥＤＣＡＴｉｍｅｒを更新し得、タイマの満了時に、ＳＴＡは、それが関連付けられているＡＰによって送られた最も間近に受信されたＥＤＣＡパラメータセット要素に含まれている値に、ＡＰによって提供されていれば、ｄｏｔ１１ＥＤＣＡＴａｂｌｅＣＷｍｉｎ、ｄｏｔ１１ＥＤＣＡＴａｂｌｅＣＷｍａｘ、およびｄｏｔ１１ＥＤＣＡＴａｂｌｅＡＩＦＳＮを更新し得る。そうでなければ、これらのパラメータは、規格において、「ＨＣＦ競争ベースチャネルアクセス（ＥＤＣＡ）」下で定義されているパラメータについてのデフォルトの値に設定される。ある態様では、トリガ対応ＴＷＴ  ＳＰは、ＳＴＡが、それに対してトリガフレームをＡＰが送信することを予期する時間期間である。さらに概して、ＭＵ  ＥＤＣＡパラメータは、より低い優先度のアクセスをＳＴＡに、それらのＳＵ  ＥＤＣＡパラメータカウント部分に関して提供する。
【００７６】
[0083]ＳＵモードに切り替わるとき、ＳＴＡは、どのようにＳＵモードＥＤＣＡパラメータを用いてバックオフを再スタートさせるか、または進行中のバックオフがそのＡＣに関して終了した後にＳＵモードＥＤＣＡパラメータを使用するかを決定し得る。いくつかのケースでは、ＡＣについてＳＵモードに切り替わるとき、ＳＴＡは、進行中のバックオフを停止し、そのＡＣについてＳＵモードＥＤＣＡパラメータを用いてバックオフを再スタートし得る。他のケースでは、ＡＣについてＳＵモードに切り替わるとき、ＳＴＡは、進行中のバックオフを継続し、そのＡＣについて新たなバックオフのためにＳＵモードＥＤＣＡパラメータを使用する（だけである）ことがある。他のケースでは、ＡＣについてＳＵモードに切り替わるとき、ＳＴＡは、ＳＵモードＥＤＣＡパラメータを用いてバックオフを再スタートさせるか、またはバックオフタイマを再スタートさせるためにＳＵモードＥＤＣＡパラメータを使用する前に、進行中のバックオフタイマの満了まで待機するかを動的に決め得る。ある態様では、ＡＣについての進行中のバックオフタイマの満了前に残っている時間の量に基づいて、ＳＴＡは、バックオフタイマを停止し、ＡＣについてのＳＵモードＥＤＣＡパラメータに基づいてバックオフタイマを再スタートすべきかどうかを決め得る。たとえば、ＳＴＡは、進行中のバックオフを、それがほとんど終了している、たとえば残りのバックオフ時間が総バックオフ時間の１０％未満である場合に継続することを決め得る。
【００７７】
[0084]別の態様では、ＳＴＡは、全てのＡＣについてＳＵモードに留まり、ＡＰとの事前アソシエーション通信のためにＳＵモードＥＤＣＡパラメータを使用し得る。たとえば、ＳＴＡは、アソシエーション応答または割り当てられたアソシエーションＩＤを受信する前にプローブまたはアソシエーションリクエストをＡＰに送るために、ＳＵモードＥＤＣＡパラメータを使用し得る。
【００７８】
[0085]別の態様では、ＳＴＡはＳＵモードに留まり、ＡＰとのアソシエーション後であるがＡＰによってスケジューリングされる前に、ＳＵモードＥＤＣＡパラメータを使用し得る。たとえば、ここでの「ＡＰによってスケジューリングされる」は、ＳＴＡが、ＳＴＡのアソシエーションＩＤをもつユーザごと情報フィールドを含む基本可変トリガフレームをＡＰから受信し、ＳＴＡが送信したトリガベースＰＰＤＵに対する即時応答をＡＰから受信することを意味する。
【００７９】
[0086]別の態様では、ＳＴＡは、それがＳＵモードにある場合、そのＳＵモード切替えタイマの全てを０に設定し得る。
【００８０】
[0087]別の態様では、ＳＴＡがスリープモードに入るとき、それは、そのＳＵモード切替えタイマを取り扱うために様々なオプションを有し得る。たとえば、オプション１では、ＳＴＡは、スリープモードに入るときに全てのタイマを凍結させるが、スリープモードを離れるときには、それらのカウントダウンを再開する。オプション２では、ＳＴＡは、スリープモードに入るときに全てのタイマを停止し、スリープモードを離れるときに０にそれらを設定する。オプション３では、ＳＴＡは、スリープモードに入った後、全てのタイマをカウントダウンし続け、それらが０になった場合にそれらを個別に停止する。
【００８１】
[0088]上で説明された方法の様々なオペレーションは、対応する機能を実行する能力を有するあらゆる適した手段によって実行され得る。手段は、限定されないが、回路、特定用途向け集積回路（ＡＳＩＣ）、またはプロセッサを含む、様々なハードウェアおよび／またはソフトウェアコンポーネント（複数を含む）および／またはモジュール（複数を含む）を含み得る。
【００８２】
[0089]いくつかのケースでは、図３におけるオペレーション３００および図５におけるオペレーション５００は、汎用コンピュータによって実行され得る。このように、取得、生成、および／または選択するための手段もまた、そのような汎用コンピュータの１つまたは複数のプロセッサを含み得る。
【００８３】
[0090]いくつかのケースでは、フレームを実際に送信するのではなく、デバイスは、送信のためにフレームを出力するためのインターフェース（出力するための手段）を有し得る。たとえばプロセッサは、送信のために、無線周波数（ＲＦ）フロントエンドにバスインターフェースを介して、フレームを出力し得る。同様に、フレームを実際に受信するのではなく、デバイスは、別のデバイスから受信されたフレームを取得するためのインターフェース（取得するための手段）を有し得る。たとえばプロセッサは、受信のために、ＲＦフロントエンドからバスインターフェースを介して、フレームを取得（または受信）し得る。
【００８４】
[0091]本明細書で使用されている場合、「決定する」という用語は、幅広い種類のアクションを含む。たとえば、「決定する」は、計算する、コンピューティングする、処理する、導出する、調査する、検索する（たとえば、表、データベース、または別のデータ構造を検索する）、確定する等を含み得る。また、「決定する」は、受信する（たとえば、情報を受信する）、アクセスする（たとえば、メモリにおけるデータにアクセスする）等を含み得る。また、「決定する」は、解決する、選択する、選ぶ、確立する等を含み得る。
【００８５】
[0092]本明細書で使用されている場合、項目のリスト「のうちの少なくとも１つ」を指す表現は、単一のメンバを含む、それらの項目のいずれの組合せも指す。例として、「ａ、ｂ、またはｃのうちの１つの少なくとも１つ」は、ａ、ｂ、ｃ、ａ−ｂ、ａ−ｃ、ｂ−ｃ、およびａ−ｂ−ｃをカバーするように意図されている。
【００８６】
[0093]本開示に関係して説明されている、様々な例示的な論理ブロック、モジュール、および回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブル論理デバイス（ＰＬＤ）、ディスクリートゲートまたはトランジスタ論理回路、ディスクリートハードウェアコンポーネント、あるいは本明細書で説明されている機能を実行するように設計されたそれらのあらゆる組合せで実装または実行され得る。汎用プロセッサは、マイクロプロセッサであり得るが、代わりとしてプロセッサは、あらゆる商業的に利用可能なプロセッサ、コントローラ、マイクロコントローラ、またはステートマシンであり得る。プロセッサはまた、コンピューティングデバイスの組合せ、たとえば、ＤＳＰとマイクロプロセッサの組合せ、複数のマイクロプロセッサ、ＤＳＰコアと連携した１つまたは複数のマイクロプロセッサ、またはあらゆる他のそうした構成として実装され得る。
【００８７】
[0094]本開示に関係して説明されている方法またはアルゴリズムのステップは、ハードウェアで直接、プロセッサによって実行されるソフトウェアモジュールで、またはその２つの組合せで、具現化され得る。ソフトウェアモジュールは、当該技術分野で知られているあらゆる形態の記憶媒体に存在し得る。使用され得る記憶媒体のいくつかの例は、ランダムアクセスメモリ（ＲＡＭ）、読取専用メモリ（ＲＯＭ）、フラッシュメモリ、ＥＰＲＯＭメモリ、ＥＥＰＲＯＭ（登録商標）メモリ、レジスタ、ハードディスク、リムーバブルディスク、ＣＤ−ＲＯＭ等を含む。ソフトウェアモジュールは、単一の命令または多くの命令を備え得、いくつかの異なるコードセグメントにわたって、異なるプログラム間で、および複数の記憶媒体中に、分散され得る。記憶媒体は、プロセッサが記憶媒体から情報を読み取り得るように、および記憶媒体に情報を書き込み得るように、プロセッサに結合され得る。代わりとして、記憶媒体はプロセッサに一体化している（integral）ことがある。
【００８８】
[0095]本明細書で開示されている方法は、説明されている方法を達成するための１つまたは複数のステップまたはアクションを備える。方法のステップおよび／またはアクションは、請求項の範囲から逸脱することなく、互いに置き換えられ得る。言い換えると、ステップまたはアクションの特定の順序が指定されていない限り、特定のステップおよび／またはアクションの順序および／または使用は、請求項の範囲から逸脱することなく修正され得る。
【００８９】
[0096]説明されている機能は、ハードウェア、ソフトウェア、ファームウェア、またはそれらのあらゆる組合せで実行され得る。ハードウェアで実装される場合、例となるハードウェア構成は、ワイヤレスノードにおいて処理システムを備え得る。処理システムは、バスアーキテクチャで実装され得る。バスは、処理システムの特定のアプリケーションおよび全設計制約に応じて、あらゆる数の相互接続するバスおよびブリッジを含み得る。バスは、プロセッサ、機械可読媒体、およびバスインターフェースを含む様々な回路を互いにリンクさせ得る。バスインターフェースは、とりわけ、バスを介して処理システムにネットワークアダプタを接続させるために使用され得る。ネットワークアダプタは、ＰＨＹレイヤの信号処理機能を実装するために使用され得る。ユーザ端末１２０（図１を参照）のケースでは、ユーザインターフェース（たとえば、キーパッド、ディスプレイ、マウス、ジョイスティック等）もまた、バスに接続され得る。バスはまた、タイミングソース、周辺機器、電圧レギュレータ、電力管理回路等のような様々な他の回路もリンクさせ得、これらは、当該技術分野で周知であり、従ってこれ以上説明されない。
【００９０】
[0097]プロセッサは、バスを管理すること、および機械可読媒体上に記憶されたソフトウェアの実行を含む一般的な処理を担い得る。プロセッサは、１つまたは複数の汎用および／または専用プロセッサで実装され得る。例は、マイクロプロセッサ、マイクロコントローラ、ＤＳＰプロセッサ、およびソフトウェアを実行し得る他の回路を含む。ソフトウェアは、ソフトウェア、ファームウェア、ミドルウェア、マイクロコード、ハードウェア記述言語、または他の形で称されるかどうかに関わらず、命令、データ、またはそれらのあらゆる組合せを意味するように広く解釈されるものとする。機械可読媒体は、例として、ＲＡＭ（ランダムアクセスメモリ）、フラッシュメモリ、ＲＯＭ（読取り専用メモリ）、ＰＲＯＭ（プログラマブル読取り専用メモリ）、ＥＰＲＯＭ（消去可能なプログラマブル読取り専用メモリ）、ＥＥＰＲＯＭ（電気的に消去可能なプログラマブル読取り専用メモリ）、レジスタ、磁気ディスク、光学ディスク、ハードドライブ、またはあらゆる他の適した記憶媒体、あるいはそれらのあらゆる組合せを含み得る。機械可読媒体は、コンピュータプログラム製品で具現化され得る。コンピュータプログラム製品は、パッケージ材料を備え得る。
【００９１】
[0098]ハードウェア実装では、機械可読媒体は、プロセッサとは別個の処理システムの一部であり得る。しかしながら、当業者は容易に認識することになるように、機械可読媒体、またはそのあらゆる部分が、処理システムの外部にあり得る。例として、機械可読媒体は、伝送回線、データによって変調されたキャリア波、および／またはワイヤレスノードとは別個のコンピュータ製品を含み得、それら全てが、バスインターフェースを通じてプロセッサによってアクセスされ得る。代わりとして、または加えて、機械可読媒体、またはそのあらゆる部分が、キャッシュおよび／または一般的なレジスタファイルの場合のように（such as the case may be with）、プロセッサ中に統合され得る。
【００９２】
[0099]処理システムは、プロセッサ機能を提供する１つまたは複数のマイクロプロセッサ、および機械可読媒体の少なくとも一部を提供する外部メモリを有し、その全てが外部バスアーキテクチャを通じて他のサポート回路と共にリンクされている汎用処理システムとして構成され得る。代わりとして、処理システムは、プロセッサ、バスインターフェース、アクセス端末のケースでは）ユーザインターフェース、サポート回路、および単一のチップ中に統合された機械可読媒体の少なくとも一部をもつＡＳＩＣ（特定用途向け集積回路）で実装され得る、あるいは、１つまたは複数のＦＰＧＡ（フィールドプログラマブルゲートアレイ）、ＰＬＤ（プログラマブル論理デバイス）、コントローラ、ステートマシン、ゲート論理回路、ディスクリートハードウェアコンポーネント、もしくは任意の他の適した回路、または本開示全体を通して説明されている様々な機能性を実行し得る回路のあらゆる組合せで実装され得る。当業者は、特定のアプリケーションおよびシステム全体に課された全設計制約に応じて、処理システムについて説明されている機能性をどのように実行することが最善かを認めるだろう。
【００９３】
[0100]機械可読媒体は、多数のソフトウェアモジュールを備え得る。ソフトウェアモジュールは、プロセッサによって実行されるとき、処理システムに様々な機能を実行させる命令を含む。ソフトウェアモジュールは、送信モジュールおよび受信モジュールを含み得る。各ソフトウェアモジュールは、単一の記憶デバイスに存在し得るか、または複数の記憶デバイス中に分散され得る。例として、ソフトウェアモジュールは、トリガイベントが生じたとき、ハードドライブからＲＡＭ中にロードされ得る。ソフトウェアモジュールの実行中、プロセッサは、アクセススピードを上げるために、命令のうちのいくつかをキャッシュにロードし得る。１つまたは複数のキャッシュラインがその後、プロセッサによる実行のために一般的なレジスタファイル中にロードされ得る。下記においてソフトウェアモジュールの機能性を参照するとき、そうした機能性は、そのソフトウェアモジュールからの命令を実行するときにプロセッサによって実行されることは理解されるだろう。
【００９４】
[0101]ソフトウェアで実行される場合、機能は、コンピュータ可読媒体上で１つまたは複数の命令またはコードとして、記憶または送信され得る。コンピュータ可読媒体は、ある場所から別の場所へのコンピュータプログラムの移送を容易にするいずれの媒体も含む通信媒体とコンピュータ記憶媒体との両方を含む。記憶媒体は、コンピュータによってアクセスされ得るいずれの利用可能な媒体でもあり得る。限定ではなく例として、そのようなコンピュータ可読媒体は、ＲＡＭ、ＲＯＭ、ＥＥＰＲＯＭ、ＣＤ−ＲＯＭまたは他の光学ディスクストレージ、磁気ディスクストレージまたは他の磁気記憶デバイス、あるいはデータ構造または命令の形態で所望のプログラムコードを記憶または搬送するために使用され得る、かつコンピュータによってアクセスされ得るあらゆる他の媒体を備え得る。また、いずれの接続手段もコンピュータ可読媒体と適切に名付けられる。たとえば、ソフトウェアが、ウェブサイトから、サーバから、または同軸ケーブル、光ファイパケーブル、ツイストペア、デジタル加入者線（ＤＳＬ）、もしくは赤外線（ＩＲ）、電波、およびマイクロ波のようなワイヤレス技術を使用する他の遠隔ソースから送信される場合、同軸ケーブル、光ファイパケーブル、ツイストペア、ＤＳＬ、または赤外線、電波、およびマイクロ波のようなワイヤレス技術は、媒体の定義に含まれる。ディスク（disk）およびディスク（disc）は、本明細書で使用される場合、コンパクトディスク（disc）（ＣＤ）、レーザーディスク（登録商標）（disc）、光学ディスク（disc）、デジタル多用途ディスク（disc）（ＤＶＤ）、フロッピー（登録商標）ディスク（disk）、およびブルーレイ（登録商標）ディスク（disc）を含み、ここで、ディスク（disk）が通常、磁気的にデータを再生する一方で、ディスク（disc）は、レーザーを用いて光学的にデータを再生する。したがって、いくつかの態様では、コンピュータ可読媒体は、非一時的なコンピュータ可読媒体（たとえば、有体媒体）を備え得る。加えて、他の態様では、コンピュータ可読媒体は、一時的なコンピュータ可読媒体（たとえば、信号）を備え得る。上記の組合せもまた、コンピュータ可読媒体の範囲内に含まれるべきである。
【００９５】
[0102]したがって、ある特定の態様は、本明細書で提示されるオペレーションを実行するためのコンピュータプログラム製品を備え得る。たとえば、そうしたコンピュータプログラム製品は、命令を記憶（および／または符号化）したコンピュータ可読媒体を備え得、該命令は、本明細書で説明されているオペレーションを実行するように１つまたは複数のプロセッサによって実行可能である。ある特定の態様では、コンピュータプログラム製品は、パッケージ材料を含み得る。
【００９６】
[0103]さらに、本明細書で説明されている方法および技法を実行するためのモジュールおよび／または他の適切な手段が、適用可能である場合ユーザ端末および／または基地局によってダウンロードされ得る、および／または別の形で取得され得ることは認識されるべきである。たとえば、そうしたデバイスは、本明細書で説明されている方法を実行するための手段の転送を容易にするためにサーバに結合され得る。代わりとして、本明細書で説明されている様々な方法が、記憶手段（たとえば、ＲＡＭ、ＲＯＭ、コンパクトディスク（ＣＤ）またはフロッピーディスクのような物理記憶媒体等）を介して、ユーザ端末および／または基地局が、デバイスに該記憶手段を結合または提供すると該様々な方法を取得し得るように、提供され得る。さらに、デバイスに本明細書で説明されている方法および技法を提供するためのあらゆる他の適した技法が、利用され得る。
【００９７】
[0104]請求項が、上で例示された精密な構成およびコンポーネントに限定されないことは理解されることとする。請求項の範囲から逸脱することなく、上で説明された方法および装置の、配列、オペレーション、および詳細において、様々な変更、変化、およびバリエーションが行われ得る。
【図１】
2019520730.tif 000003
【図２】
2019520730.tif 000004
【図３】
2019520730.tif 000005
【図４】
2019520730.tif 000006
【図５】
2019520730.tif 000007
【図６】
2019520730.tif 000008
【図７】
2019520730.tif 000009
【国際調査報告】
2019520730.tif 000010
2019520730.tif 000011
2019520730.tif 000012